(57)【要約】【課題】  光ディスク装置において、光ピックアップ移動時の振動及び騒音の低減が、その性能を劣化させることなく、そのサイズに影響を与えることなく、安価な構成で実現可能な技術の提供。【解決手段】  光ピックアップ駆動機構部材を光ピックアップと締結保持部材の間に弾性性能を有する弾性体を介在させて取り付け保持させる構成とすることで、光ピックアップ移動時に光ピックアップに発生する慣性力を回転力に変えることなく、該駆動機構部材の光ピックアップとは独立した動きにより力の伝達を切断し、光ピックアップの案内ガイド受け部で発生する衝撃振動及び衝撃騒音を低減する。【選択図】  図１
2006073145.tif 000002
【特許請求の範囲】
【請求項１】
光ディスクに情報を記録または再生する光ピックアップと、該光ディスクを回転させる光ディスク回転駆動用モータと、該光ピックアップを光ディスクの半径方向に移動可能にする為の２本の案内ガイド部材と、該案内ガイド部材を固定するメカシャーシと、該光ピックアップを駆動させる駆動源の光ピックアップ駆動用モータと、該光ピックアップ駆動用モータに具備され、該光ピックアップ駆動用モータの回転動作に連動して回転動作を行う螺旋状の光ピックアップ送り用ネジ溝を有する駆動ガイド部材と、該光ピックアップに具備され該螺旋状の送りネジ溝と係合するラックギヤを有する光ピックアップ駆動機構部材と、該光ピックアップ駆動機構部材を該光ピックアップに取り付け保持するための締結保持部材を備えた光ディスク装置において、
前記光ピックアップ駆動機構部材を、弾性性能を有する弾性体を間に介在させ、前記締結部材により、前記光ピックアップに取り付け保持したことを特徴とする光ディスク装置。
【請求項２】
前記光ピックアップ駆動機構部材を樹脂製とし、前記弾性性能を有する弾性体を該光ピックアップ駆動機構部材と一体成型形状としたことを特徴とする請求項１に記載の光ディスク装置。
【請求項３】
前記弾性性能を有する弾性体を前記光ピックアップ駆動機構部材と別部材とし、緩衝部材を用いたことを特徴とする請求項１に記載の光ディスク装置。
【請求項４】
前記弾性性能を有する弾性体を前記光ピックアップ駆動機構部材と別部材とし、振動減衰部材を用いたことを特徴とする請求項１に記載の光ディスク装置。
【発明の詳細な説明】
【技術分野】
【０００１】
本発明は、光ディスク装置における、光ピックアップ移動時の振動及び騒音を低減する技術に関する。
【背景技術】
【０００２】
従来より、基本構成が概略同じである光ディスク装置は、ＰＣ（パーソナルコンピュータ）用途を主として普及してきた。しかしながら近年、書き込み用ＤＶＤドライブ装置をカムコーダ用途として採用する製品も急速に普及しつつある。カムコーダ用途として使用される場合は、その使い方から、当然、装置の低振動化、低騒音化が要求される。また、ＰＣ用途においても、ノート型ＰＣのように装置の小型化、薄型化より、より一層の低振動化、低騒音化が要求される。また、いずれの用途においても低コスト化は必須の技術である。
【０００３】
従来の技術における光ピックアップの駆動部構成は、その小型、薄型化、低コスト化及び光ピックアップの性能確保を目的に、光ピックアップを駆動するための光ピックアップ駆動機構部材を、締結部材にて緩みなく光ピックアップに固定する方式のものが一般的な構成である。（例えば、特許文献１、２参照）
【特許文献１】特開２００２−２７９７３９  号公報
【特許文献２】特開２０００−０３０３８１  号公報
【発明の開示】
【発明が解決しようとする課題】
【０００４】
発明が解決しようとする従来例の課題を図９から図１４を用いて説明する。
図９及び図１０は従来例の光ディスク装置内光ディスクドライブの概略図及び裏面図、図１１は従来例の光ディスク装置光ピックアップ駆動部詳細図、図１２は図１１に示した従来例光ピックアップ駆動部詳細断面図、図１３は従来例での課題説明図、図１４は従来例での課題説明詳細図である。
【０００５】
ここで光ピックアップ３の光ディスク半径方向への直線移動動作は、駆動源である光ピックアップ駆動用モータ８の回転動作に連動して、光ピックアップ駆動用モータ８に具備され、螺旋状の光ピックアップ送り用ネジ溝を有する光ピックアップ駆動ガイド部材８ａが回転し、該螺旋溝に係合するラックギヤ５ａを有する光ピックアップ駆動機構部材５により発生する。このとき、従来技術では、図１１及び図１２に示すように、光ピックアップ３を駆動するための光ピックアップ駆動機構部材５は、締結部材１０にて緩みなく光ピックアップ３に固定されている。そのため、停止状態から移動開始、あるいは、移動状態から停止等、光ピックアップ３に急激な速度変化（加速度）が発生する場合、図１３及び図１４に示すように、その加速度に応じた慣性力Ｆがその伝達経路で減衰することなく、光ピックアップ３に発生する。さらに、上記で光ピックアップ３に発生した慣性力Ｆは、上記ラックギヤ５ａと光ピックアップ駆動ガイド部材８ａの螺旋溝との当接部を支点とした回転力Ｍとなり、光ピックアップ３は回転方向に揺すられる。ここで、光ピックアップ駆動機構部材５は、スムーズな移動を可能にするために、光ピックアップ３の移動を案内する主案内ガイド部材６と光ピックアップ３に具備された光ピックアップ主案内ガイド受け３ａ、３ｂとの間には、所定の隙間を確保するための光ピックアップ主案内ガイド受け部隙間３ｇ、３ｈが確保されている。その隙間分のがたつきにより、回転力Ｍを受けた光ピックアップ３には傾きが生じ、光ピックアップ３の光ピックアップ主案内ガイド部材受け３ａ、３ｂは、激しく主案内ガイド部材６とぶつかり、図１４矢印Ｃ部、Ｄ部にて衝撃振動及び衝撃騒音を発生することになる。さらに、このとき発生した衝撃振動は、上記主案内ガイド部材６を通して、メカシャーシ４へ、さらには、メカシャーシ４を支持するメカシャーシ保持用振動減衰部材１１を通してセット本体へと伝播される。メカシャーシ４を支持するメカシャーシ保持用振動減衰部材１１により、多少の振動減衰効果は期待できるが、その伝播する周波数帯域、あるいはその大きさにより、大きな効果は期待できない。特に上記光ディスク装置をカムコーダ用途で使用する場合、セットを手で直接持って使用する使い方を考えると、非常に微小な振動さえも製品の品質を落とすことになりかねない。また、上記で発生した衝撃騒音も、耳障りなだけでなく、不快な音として記録される場合も考えられる。また、上記のように発生した振動が、光ピックアップ３の光ディスク上のデータ読み込みあるいはデータ書き込み性能に影響を及ぼす場合も考えられる。
【０００６】
本発明の目的は、これらの製品品質に関わる、光ピックアップと主案内ガイド部材との間で発生する振動あるいは騒音低減の課題を、光ピックアップ駆動機構部材を光ピックアップと締結保持部材の間に弾性性能を有する弾性体を介在させて取り付け保持させるという簡単な構成で解決できる技術を提供することにある。
【課題を解決するための手段】
【０００７】
上記課題を解決するために、本発明では、光ディスクに情報を記録または再生する光ピックアップと、該光ディスクを回転させる光ディスク回転駆動用モータと、該光ピックアップを光ディスクの半径方向に移動可能にする為の２本の案内ガイド部材と、該案内ガイド部材を固定するメカシャーシと、該光ピックアップを駆動させる駆動源の光ピックアップ駆動用モータと、該光ピックアップ駆動用モータに具備され、該光ピックアップ駆動用モータの回転動作に連動して回転動作を行う螺旋状の光ピックアップ送り用ネジ溝を有する駆動ガイド部材と、該光ピックアップに具備され該螺旋状の送りネジ溝と係合するラックギヤを有する光ピックアップ駆動機構部材と、該光ピックアップ駆動機構部材を該光ピックアップに取り付け保持するための締結保持部材を備えた光ディスク装置において、前記光ピックアップ駆動機構部材を、弾性性能を有する弾性体を間に介在させ、前記締結部材により、前記光ピックアップに取り付け保持したことを特徴とする。この構成により、該光ピックアップの案内ガイド部材と案内ガイド部材受けの隙間の間で生じる衝撃振動及び衝撃騒音は、相当量軽減させることが可能となる。これにより、低振動及び低騒音に大きな効果のある光ディスク装置が提供可能となる。
【０００８】
さらに、前記光ピックアップ駆動機構部材を樹脂製とし、前記弾性性能を有する弾性体を該光ピックアップ駆動機構部材と一体成型形状としたことを特徴とする。この構成により、部品点数を増やすことなく安価な光ディスク装置が提供可能となる。
【０００９】
さらに、前記弾性性能を有する弾性体を前記光ピックアップ駆動機構部材と別部材とし、緩衝部材を用いたことを特徴とする。この構成により、コイルバネ等を衝撃緩衝部材として使用することにより生じる衝撃振動及び衝撃騒音は、相当量軽減させることが可能となる。
【００１０】
さらに、前記弾性性能を有する弾性体を前記光ピックアップ駆動機構部材と別部材とし、振動減衰部材を用いたことを特徴とする。この構成により、ゴムダンパ等を振動減衰部材として使用することにより生じる衝撃振動及び衝撃騒音は、相当量軽減させることが可能となる。
【００１１】
本発明では、上記ラックギヤを有する光ピックアップ駆動機構部材は、上記構成により光ピックアップに対して独立して動作可能で、その可動範囲を調整可能ながたつきを有して保持されることになる。ここで、従来技術の課題で説明したように、光ピックアップ駆動用モータを発生駆動源とした、光ピックアップに発生する急激な慣性力の伝達は、がたつきを有する光ピックアップ駆動機構部材のがたにより、該光ピックアップ駆動機構部材が光ピックアップに対して独立して回動動作を行うことで一旦寸断され、その伝達経路が断たれることになる。従って、このような急激な慣性力が発生する場合においても、光ピックアップに急激な回転力が発生することはなく、該光ピックアップの案内ガイド部材と案内ガイド部材受けの隙間の間で生じる衝撃振動及び衝撃騒音は、相当量軽減させることが可能となる。
【００１２】
ここで、上記した光ピックアップ駆動機構部材のがたつき範囲と該がたつき範囲内での動きやすさは、光ピックアップの光ディスク半径方向での移動時位置精度と大いに相関がある。がたつき範囲が大きく、がたつきやすい場合、上記した光ピックアップの移動時位置精度は劣化する方向である。しかしながら、上記した光ピックアップ駆動機構部材のがたつき範囲及び動きやすさは、その隙間量及び押し付け力の大きさにより調整可能であるため、使用する光ディスク装置で必要とする光ピックアップの移動時位置精度に応じて各々の量を調整することで、光ピックアップの移動時位置精度は確保できる。
【００１３】
以上から、本発明の構成により、簡単な構成で安価で、サイズに影響を及ぼさず、光ピックアップの移動時位置精度を確保しつつ、低振動及び低騒音に大きな効果のある光ディスク装置が提供可能となる。
【発明の効果】
【００１４】
本発明により、低振動及び低騒音に効果があり、使い勝手を向上する光ディスク装置を提供できる。
【発明を実施するための最良の形態】
【００１５】
ラックギヤを有する光ピックアップ駆動機構部材と該部材を締結保持するための締結保持部材の間に、該駆動機構部材と一体あるいは、別部材とした弾性性能を有する弾性体を挿入し、該弾性体を介在させて光ピックアップ駆動機構部材を光ピックアップに対して取り付け保持する構成とした。
【実施例１】
【００１６】
以下、本発明の一実施例を図面を用いて説明する。
【００１７】
図１〜図６は、本発明の光ディスク装置の一実施例の説明図である。図１は本発明の構成を示す光ピックアップ駆動部詳細、図２は上記光ピックアップ駆動部詳細断面図、図３はＤＶＤカムコーダ用途に使用された本発明の一実施例光ディスク装置概略図、図４は上記光ディスク装置の裏面図である。
【００１８】
ここで一般的な光ディスク装置の基本的な構成及び動作を説明する。１は光ディスクで、データ読み取り専用と書き込み可能なものがあり、光ピックアップ３にて、データの読み取りあるいはデータの書き込みを行う。該光ピックアップ３は、光ディスク１の半径方向に移動可能で、移動するための駆動源は、８の光ピックアップ駆動用モータである。光ピックアップ駆動用モータ８には、螺旋状の光ピックアップ送り用ネジ溝を有する光ピックアップ駆動ガイド部材８ａが具備され、光ピックアップ駆動用モータ８の回転動作に連動し、光ピックアップ駆動ガイド部材８ａも回転動作を行う。光ピックアップ駆動ガイド部材８ａに設けられた螺旋状の溝に係合するラックギヤ５ａを有する光ピックアップ駆動機構部材５が光ピックアップ３に締結保持部材１０にて取り付けられており、光ピックアップ駆動機構部材５により、光ピックアップ駆動ガイド部材８ａの回転運動は直線運動へと変換される。光ピックアップ３は、主案内ガイド部材６及び副案内ガイド部材７と光ピックアップ３に設けられた光ピックアップ主案内ガイド受け３ａ、３ｂ及び光ピックアップ副案内ガイド受け３ｃにて保持され、主及び副案内ガイド部材６、７方向への直線動作を行う。また、主及び副案内ガイド部材６、７は、メカシャーシ４に固定されており、メカシャーシ４は、メカシャーシ保持用振動減衰部材１１によりセット本体側と接続される。
【００１９】
本発明は、上記した光ピックアップ駆動機構部材５の光ピックアップ３への保持構造に特徴がある。従来例では、図１２にて、光ピックアップ駆動機構部材５が、光ピックアップ３と緩みなく締結保持部材１０にて固定されていることを説明した。図２は、本発明の光ピックアップ駆動部の詳細断面図を示すが、本発明の一実施例では、光ピックアップ駆動機構部材５を樹脂部材とし、弾性性能を有する弾性形状部５ｂが光ピックアップ駆動機構部材５と一体で形成されている。該弾性形状部５ｂは、弾性形状部先端部５ｂ’を撓ませることで弾性力を発生させる。また、該弾性力は、光ピックアップ駆動機構部材５と光ピックアップ３の取り付け設置面となる光ピックアップ駆動機構部材設置面３ｆに対して、光ピックアップ駆動機構部材５を光ピックアップ３に押し付ける方向へ働く。ここで、光ピックアップ駆動機構部材５の弾性形状部先端部５ｂ’の撓みは、締結保持部材１０により発生させている。従って、本発明の光ピックアップ駆動機構部材５は、光ピックアップ３と締結保持部材１０との間に弾性性能を有する弾性形状部５ｂを介在させて、光ピックアップ３へ取り付け保持される構成となっている。本構成とすることで、光ピックアップ駆動機構部材５は、光ピックアップ駆動機構部材設置面３ｆの面内方向に対して、光ピックアップ駆動機構部材設置面３ｆに発生する摩擦力以上の力が発生した場合に限り、光ピックアップ３に対して独立した動作が可能となる。また、このときの可動範囲は、光ピックアップ３に設けられた光ピックアップ駆動機構部材概略位置決め用凸形状部３ｄ、３ｅと、その凸部と係合する光ピックアップ駆動機構部材概略位置決め用穴５ｃ、５ｄとの隙間の大きさにより決定する。また、光ピックアップ駆動機構部材設置面３ｆ内での動きやすさは、弾性形状部５ｂの弾性力により発生する光ピックアップ駆動機構部材設置面３ｆ内の摩擦力により決定する。
【００２０】
次に本発明の効果を図５及び図６を用いて説明する。図５は本発明の一実施例での効果説明図、図６は本発明の一実施例での効果説明詳細図である。光ピックアップ３は光ディスク１上の決められた場所のデータを読んだり、書き込んだりする動作を、精度よく迅速に行う必要がある。このため、その光ピックアップ３の動きは、停止状態から急発進、移動状態から急停止等、急激な速度変化を伴う動作を強いられる。この場合、急激な速度変化を伴うため光ピックアップ３には、大きな慣性力がその進行方向に対して生じることになる。この光ピックアップ３の直線運動は、光ピックアップ駆動用モータ８の回転動作に連動して回転する光ピックアップ駆動ガイド部材８ａが駆動源となり行われる。ここで、例えば、光ピックアップ３が移動している状態から急停止するような場合、駆動源となる光ピックアップ駆動ガイド部材８ａの動作は停止するが、光ピックアップ３には慣性力Ｆが進行方向に発生するため、光ピックアップ３は急停止することなく、進行方向にさらに進もうとする。ここで、ラックギヤ５ａを有する光ピックアップ駆動機構部材５は、該ラックギヤ５ａ部が光ピックアップ駆動ガイド部材８ａの螺旋状の溝に係合しているため、光ピックアップ３に発生した慣性力Ｆは、該係合部を支点とした回転力Ｍを光ピックアップ３に発生させることになる。上記で、図１３にて従来例の説明をしたが、従来例のように該光ピックアップ駆動機構部材５が締結部材１０にて緩みなく光ピックアップ３に固定されている場合、上記で発生した回転力Ｍは、その伝達経路で減衰することなく、光ピックアップ３に伝わり、その構造上必要である主案内ガイド部材６と光ピックアップ主案内ガイド受け３ａ、３ｂとの光ピックアップ主案内ガイド受け部隙間３ｇ、３ｈにより、光ピックアップ３には傾きが生じ、図中矢印Ｃ及びＤにて激しくぶつかる現象が起きる。この際、問題となる衝撃振動及び衝撃騒音が発生する。
【００２１】
しかしながら、本発明の構成とすると、上記したように、光ピックアップ駆動機構部材５は、光ピックアップ３に対して、所定のがたつきを持って光ピックアップ３と独立した動作が可能なため、図６に示すように、光ピックアップ駆動機構部材５のみが回転運動を行い、光ピックアップ３に発生した慣性力Ｆの全てが回転力に変換されることはなくなり、急停止時での光ピックアップ３の傾きは極めて小さく押さえることが可能となる。従って、従来発生していた、主案内ガイド６と光ピックアップ主案内ガイド受け３ａ、３ｂとの間で発生していた衝撃振動及び衝撃騒音は、劇的に軽減されることになる。この動作は、光ピックアップ３が停止している状態から急発進する場合にも同様に説明できる。
【００２２】
また、光ピックアップ駆動機構部材５の回転運動で生じる同様の、光ピックアップ３に設けられた光ピックアップ駆動機構部材の概略位置決め用凸形状部３ｄ、３ｅと光ピックアップ駆動機構部材概略位置決め用穴５ｄの間に発生する衝撃振動及び衝撃騒音は、光ピックアップ駆動機構部材５の材質及びその質量から光ピックアップ３で発生する振動及び騒音の大きさに比べて無視できるほど小さい。
【００２３】
ここで、光ピックアップ３の光ディスク１半径方向での移動位置決め精度であるが、これは、上記で説明した、光ピックアップ駆動機構部材５の可動範囲と動きやすさの影響を受ける。光ピックアップ３の光ディスク１半径方向での移動位置決め精度は、当然、駆動源である光ピックアップ駆動用モータ８の回転動作に対する精度良い追従性が要求される。光ピックアップ駆動機構部材５が有するがたつきは、この追従性に対して不利となる方向である。しかし、この追従性は、光ディスク装置の用途により様々であり、ある許容範囲を持って決定される。本発明では、上記した、光ピックアップ駆動機構部材５の可動範囲と動きやすさは、光ピックアップ３に設けられた光ピックアップ駆動機構部材概略位置決め用凸形状部３ｄ、３ｅと駆動機構部材概略位置決め用穴５ｃ、５ｄ間との隙間の大きさ及び弾性形状部５ｂの弾性力の大きさを調整することで、各々の光ディスク装置に要求される、光ピックアップ３の移動精度を満足させることが可能である。
【００２４】
また、本発明の構成は、非常に簡単で、部品点数を増やすことなく安価で、小型化薄型化への影響も少なく、光ディスク装置の性能を劣化させることなく、光ピックアップ移動時に発生する振動及び騒音の低減に大きな効果をもたらすことができる。  
【実施例２】
【００２５】
本発明による第２の一実施例を図７に示す。実施例１にて説明した光ピックアップ駆動機構部材５を保持するための光ピックアップ３と締結保持部材１０との間に介在させる弾性体を、光ピックアップ駆動機構部材５と別体とし、緩衝部材いわゆるコイルバネ１２とした例である。また本図では示さないが、緩衝部材を板バネとした場合もある。本実施例の効果も上記実施例１で説明したものと同様である。
【実施例３】
【００２６】
本発明による第３の一実施例を図８に示す。実施例１にて説明した光ピックアップ駆動機構部材５を保持するための光ピックアップ３と締結保持部材１０との間に介在させる弾性体を、光ピックアップ駆動機構部材５と別体とし、弾性性能を有する振動減衰部材いわゆるゴムダンパ１３とした例である。一般的に振動を減衰させるための減衰部材は、弾性性能も有する。本実施例の効果も上記実施例１で説明したものと同様である。
【産業上の利用可能性】
【００２７】
本発明により、光ディスク装置の性能を劣化させることなく、安価で、小型、薄型化を実現でき、低振動でかつ低騒音の光ディスク装置を提供可能となる。従って、カムコーダ用途で使用される光ディスク装置あるいは、小型薄型化を要求されるノートＰＣ用途のスリムドライブ等にて、特にその効果が期待できる。
【図面の簡単な説明】
【００２８】
【図１】本発明の一実施例としての光ディスク装置の光ピックアップ駆動部詳細図
【図２】図１に示した本発明一実施例の光ピックアップ駆動部詳細断面図
【図３】ＤＶＤカムコーダ用途に使用された本発明の一実施例光ディスク装置概略図
【図４】図３の本発明の一実施例光ディスク装置裏面図
【図５】本発明の一実施例での効果説明図
【図６】本発明の一実施例での効果説明詳細図
【図７】本発明の実施例２
【図８】本発明の実施例３
【図９】従来例の光ディスク装置概略図
【図１０】図９の従来例光ディスク装置裏面図
【図１１】従来例の光ディスク装置光ピックアップ駆動部詳細図
【図１２】図１１に示した従来例光ピックアップ駆動部詳細断面図
【図１３】従来例での課題説明図
【図１４】従来例での課題説明詳細図
【符号の説明】
【００２９】
１・・・光ディスク、２・・・光ディスク駆動用モータ、３・・・光ピックアップ、
３ａ、３ｂ・・・光ピックアップ主案内ガイド受け、
３ｃ・・・光ピックアップ副案内ガイド受け、
３ｄ、３ｅ・・・光ピックアップ駆動機構部材概略位置決め用凸形状部、
３ｆ・・・光ピックアップ駆動機構部材設置面、
３ｇ、３ｈ・・・光ピックアップ主案内ガイド受け部隙間、４・・・メカシャーシ、
５・・・光ピックアップ駆動機構部材、５ａ・・・ラックギヤ、５ｂ・・・弾性形状部、
５ｂ’・・・弾性形状部先端部、５ｃ、５ｄ・・・光ピックアップ駆動部材概略位置決め用穴、
６・・・主案内ガイド部材、７・・・副案内ガイド部材、８・・・光ピックアップ駆動用モータ、
８ａ・・・光ピックアップ駆動ガイド部材、９・・・ラックギヤ押し付けバネ、
１０・・・締結保持部材、１１・・・メカシャーシ保持用振動減衰部材、
１２・・・緩衝部材（コイルバネ）、１３・・・減衰部材（ゴムダンパ）
【図１】
2006073145.tif 000003
【図２】
2006073145.tif 000004
【図３】
2006073145.tif 000005
【図４】
2006073145.tif 000006
【図５】
2006073145.tif 000007
【図６】
2006073145.tif 000008
【図７】
2006073145.tif 000009
【図８】
2006073145.tif 000010
【図９】
2006073145.tif 000011
【図１０】
2006073145.tif 000012
【図１１】
2006073145.tif 000013
【図１２】
2006073145.tif 000014
【図１３】
2006073145.tif 000015
【図１４】
2006073145.tif 000016